(57)【要約】【課題】医薬品の交付とともに配布されるお知らせカードを専用の設備を利用することなしに箱内に収納し、医薬品の包装に要するコストの低減を図る。【解決手段】この包装用箱Ｂは、箱１の上面１２の内側に一体的に開口１０１の付近に開口部２０を有するポケット２を備え、この包装用箱Ｂに医薬品を包装する前に、予め、お知らせカードをポケット２に収納するようにした。【選択図】図１
2014005050.tif 000002
【特許請求の範囲】
【請求項１】
一端面に蓋により開閉可能な開口を有する箱からなり、医薬品その他の物品を収容する包装用箱において、
前記箱の内面の一部に一体的に前記開口の付近に開口部を有するポケットを備え、
医薬品その他の物品に関する情報を記録され、医薬品その他の物品の交付とともに配布されるお知らせカードその他の物品情報記録媒体を前記ポケットに収納する、
ことを特徴とする包装用箱。
【請求項２】
箱の周囲は複数の面で構成され、前記複数の面のうちの一面の一端に折れ線を介して連続的に蓋を有し、当該一面と前記蓋との間に前記蓋を切り離すための破断線が形成され、ポケットは当該一面の内面に形成される請求項１に記載の包装用箱。
【請求項３】
破断線は、蓋が折れ線から当該一面の一端縁に溝形の切り欠きを形成して分離可能に、前記破断線の始端及び終端が前記折れ線上に、その中間が当該一面の一端側に前記溝形に形成される請求項２に記載の包装用箱。
【請求項４】
ポケットの開口部側の縁部に溝形の切り欠きを有する請求項１乃至３のいずれかに記載の包装用箱。
【請求項５】
箱はポケットとともに、一枚のブランクシートから一体的に打ち抜かれて形成され、一端面に蓋により開閉可能な開口を有し、全体が略直方体形状に組み立て可能に形成される箱本体形状部と、前記箱本体形状部の一部の縁部から連続的に延び、前記箱本体形状部の組み立て状態で略直方体形状の一側面をなす一側面形状部の内面に前記開口付近で開口される袋状に組み立て可能に形成されるポケット形状部とを備える一枚の紙基材からなり、この紙基材を折り曲げ、所定の接着位置を固定して組み立てることにより形成される請求項１乃至４のいずれかに記載の包装用箱。
【請求項６】
箱本体形状部の一側面形状部の一端に折れ線を介して連続的に蓋をなす蓋形状部が形成され、当該一側面形状部と前記蓋形状部との間に前記蓋形状部を切り離すための破断線が形成される請求項５に記載の包装用箱。
【請求項７】
箱本体形状部は、全体が横長又は縦長の略直方体形状に組み立て可能に、前記箱本体形状部の組み立て状態で後面又は左右方向一方の側面、上面又は正面、前面又は左右方向他方の側面、下面又は背面をなす相互に折れ線を介して連接して形成される４面形状部と、前記後面形状部又は前記一方の側面形状部及び前記前面形状部又は前記他方の側面形状部の左右方向又は上下方向の両端にそれぞれ折れ線を介して形成され、前記箱本体形状部の組み立て状態で左右方向又は上下方向一方のフラップ及び他方のフラップをなすフラップ形状部と、前記下面形状部又は前記背面形状部の左右方向又は上下方向の両端にそれぞれ折れ線を介して形成され、前記箱本体形状部の組み立て状態で内蓋をなす内蓋形状部と、前記上面形状部又は前記正面形状部の左右方向又は上下方向の両端にそれぞれ折れ線を介して形成され、前記箱本体形状部の組み立て状態で外蓋をなす外蓋形状部とを有し、ポケット形状部は、前記箱本体形状部の前記下面形状部又は前記背面形状部の前記前面形状部又は前記他方の側面形状部とは反対側の側縁部に折れ線を介して形成され、前記箱本体形状部の組み立て状態で前記後面形状部又は前記一方の側面形状部の内面に固定される固定面をなす固定面形状部、前記固定面形状部の前記下面形状部又は前記背面形状部とは反対側の側縁部に折れ線を介して形成され、前記箱本体形状部の組み立て状態で前記上面形状部又は前記正面の内面に重合される袋面をなす袋面形状部、及び前記袋面形状部の前記固定面形状部とは反対側の側縁部に折れ線を介して形成され、前記箱本体形状部の組み立て状態で前記前面形状部又は前記他方の側面形状部の内面に接着固定される接着片をなす接着片形状部とを有する請求項５に記載の包装用箱。
【請求項８】
箱本体形状部の上面形状部又は正面形状部の左右方向又は上下方向の一端側に外蓋形状部を切り離すための破断線が形成される請求項７に記載の包装用箱。
【発明の詳細な説明】
【技術分野】
【０００１】
本発明は、医薬品その他の物品を包装するのに使用する包装用箱に関し、特に、ユーザー向けに、医薬品その他の物品に関する情報が記録され、医薬品その他の物品の交付とともに配布されるお知らせカードその他の物品情報記録媒体を収納するのに適した包装用箱に関する。
【背景技術】
【０００２】
一般に、製薬会社で製造された錠剤やカプセルなどの医薬品は複数個ずつ１枚のプレススルーパックシート（以下、ＰＴＰシートという。）に収納され、このＰＴＰシートが所定の枚数ずつアルミ包材パックに封入され、個装箱に包装されて、調剤薬局などへ供給される。また、この種の医薬品の場合、ユーザー向けに、お知らせカードと称せられる医薬品に関する情報を記載されたカード状の書面が添付されることがあり、この場合、このお知らせカードがユーザーに医薬品の交付とともに配布されるように、個装箱の中に医薬品とともに封入される。
【０００３】
このような医薬品をお知らせカードとともに個装箱に包装する状態を図４に示している。
図４に示すように、個装箱４は、全体が細長いボックス形に形成され、その一端面に蓋４１により開閉可能な開口４０を有している。この個装箱４の場合、蓋４１は箱の各側面板の開口４０側端部の各フラップ４０１，４０２、下面板の開口４０側端部の内蓋４０３、及び上面板の開口４０側端部の外蓋４０４からなり、各フラップ４０１，４０２が開口４０上に折り畳まれ、その上に内蓋４０３が重ねて折り畳まれた後、外蓋４０４が折り畳まれて内蓋４０３に接着剤を介して接着される。また、この個装箱４の場合、外蓋４０４と上面板との間にミシン目により破断線Ｃ４が入れられており、封止後の外蓋４０４が上面板から分離可能になっている。
アルミ包材パックに封入されたＰＴＰ包装の医薬品は、これにお知らせカードが重ねられて、個装箱４に開口４０を通して収容される。そして、各フラップ４０１，４０２が開口４０上に折り畳まれ、その上に内蓋４０３、外蓋４０４が順次折り畳まれて、内蓋４０３と外蓋４０４が接着剤を介して貼着され、蓋４１が閉じられる。このようにして医薬品がお知らせカードとともに個装箱４に封入される。
【先行技術文献】
【特許文献】
【０００４】
【特許文献１】特開２０１０−２６９８００公報
【発明の概要】
【発明が解決しようとする課題】
【０００５】
しかしながら、このような個装箱にお知らせカードを収納するには、個装箱に医薬品を包装する包装ライン上にお知らせカードを収納するための専用の設備を設置し、この専用の設備を用いて行う必要があり、専用の設備を設置する分だけ包装に要するコストが増大する、という問題がある。このお知らせカードの収納方式としては、さらに、お知らせカードをテープ付きの袋に挿入してから個装箱に収納する方式、お知らせカードを個装箱の外面に貼り付ける方式などがあり、これらの場合、お知らせカードの収納作業が手作業となるために、作業効率が低下し、その結果、包装に要するコストが増大する、という問題がある。また、お知らせカードを個装箱の外面に貼り付ける方式では、医薬品を包装した個装箱の輸送中に、個装箱からお知らせカードが剥離するトラブルが発生することがある、という問題がある。
また、このような医薬品のお知らせカードと同様に、ユーザー向けに、各種の物品に関する情報が記録され、各種の物品の交付とともに配布される物品情報記録媒体を個装箱に収納する場合にも、同様の問題がある。
【０００６】
本発明は、このような従来の問題を解決するものであり、医薬品その他の物品を包装するのに使用するこの種の包装用箱において、ユーザー向けに、医薬品その他の物品に関する情報が記録され、物品の交付とともに配布されるお知らせカードその他の物品情報記録媒体を、通常の包装ライン上で専用の設備を利用することなしに、容易かつ確実に収納することができ、包装に要するコストの低減を図ること、を目的とする。
【課題を解決するための手段】
【０００７】
上記目的を達成するために、本発明の包装用箱は、一端面に蓋により開閉可能な開口を有する箱からなり、医薬品その他の物品を収容する包装用箱において、前記箱の内面の一部に一体的に前記開口の付近に開口部を有するポケットを備え、医薬品その他の物品に関する情報を記録され、医薬品その他の物品の交付とともに配布されるお知らせカードその他の物品情報記録媒体を前記ポケットに収納する、ことを要旨とする。
この包装用箱は、次のような構成を併せて備えることが好ましい。
（１）箱の周囲は複数の面で構成され、前記複数の面のうちの一面の一端に折れ線を介して連続的に蓋を有し、当該一面と前記蓋との間に前記蓋を切り離すための破断線が形成され、ポケットは当該一面の内面に形成される。
この場合、破断線は、蓋が折れ線から当該一面の一端縁に溝形の切り欠きを形成して分離可能に、前記破断線の始端及び終端が前記折れ線上に、その中間が当該一面の一端側に前記溝形に形成される。
（２）ポケットの開口部側の縁部に溝形の切り欠きを有する。
（３）箱はポケットとともに、一枚のブランクシートから一体的に打ち抜かれて形成され、一端面に蓋により開閉可能な開口を有し、全体が略直方体形状に組み立て可能に形成される箱本体形状部と、前記箱本体形状部の一部の縁部から連続的に延び、前記箱本体形状部の組み立て状態で略直方体形状の一側面をなす一側面形状部の内面に前記開口付近で開口される袋状に組み立て可能に形成されるポケット形状部とを備える一枚の紙基材からなり、この紙基材を折り曲げ、所定の接着位置を固定して組み立てることにより形成される。
この場合、箱本体形状部の一側面形状部の一端に折れ線を介して連続的に蓋をなす蓋形状部が形成され、当該一側面形状部と前記蓋形状部との間に前記蓋形状部を切り離すための破断線が形成される。
また、この場合、箱本体形状部は、全体が横長又は縦長の略直方体形状に組み立て可能に、前記箱本体形状部の組み立て状態で後面又は左右方向一方の側面、上面又は正面、前面又は左右方向他方の側面、下面又は背面をなす相互に折れ線を介して連接して形成される４面形状部と、前記後面形状部又は前記一方の側面形状部及び前記前面形状部又は前記他方の側面形状部の左右方向又は上下方向の両端にそれぞれ折れ線を介して形成され、前記箱本体形状部の組み立て状態で左右方向又は上下方向一方のフラップ及び他方のフラップをなすフラップ形状部と、前記下面形状部又は前記背面形状部の左右方向又は上下方向の両端にそれぞれ折れ線を介して形成され、前記箱本体形状部の組み立て状態で内蓋をなす内蓋形状部と、前記上面形状部又は前記正面形状部の左右方向又は上下方向の両端にそれぞれ折れ線を介して形成され、前記箱本体形状部の組み立て状態で外蓋をなす外蓋形状部とを有し、ポケット形状部は、前記箱本体形状部の前記下面形状部又は前記背面形状部の前記前面形状部又は前記他方の側面形状部とは反対側の側縁部に折れ線を介して形成され、前記箱本体形状部の組み立て状態で前記後面形状部又は前記一方の側面形状部の内面に固定される固定面をなす固定面形状部、前記固定面形状部の前記下面形状部又は前記背面形状部とは反対側の側縁部に折れ線を介して形成され、前記箱本体形状部の組み立て状態で前記上面形状部又は前記正面の内面に重合される袋面をなす袋面形状部、及び前記袋面形状部の前記固定面形状部とは反対側の側縁部に折れ線を介して形成され、前記箱本体形状部の組み立て状態で前記前面形状部又は前記他方の側面形状部の内面に接着固定される接着片をなす接着片形状部とを有する。そして、箱本体形状部の上面形状部又は正面形状部の左右方向又は上下方向の一端側に外蓋形状部を切り離すための破断線が形成される。
【発明の効果】
【０００８】
本発明の包装用箱によれば、箱の内面の一部に一体的に開口の付近に開口部を有するポケットを備え、医薬品その他の物品に関する情報を記録され、医薬品その他の物品の交付とともに配布されるお知らせカードその他の物品情報記録媒体をポケットに収納するようにしたので、この包装用箱に医薬品その他の物品を包装する前に、予め、お知らせカードその他の物品情報記録媒体をポケットに収納することにより、このお知らせカードその他の物品情報記録媒体を、通常の包装ライン上で専用の設備を利用することなしに、容易かつ確実に収納することができ、包装に要するコストの低減を図ることができる、という効果を奏する。
【図面の簡単な説明】
【０００９】
【図１】本発明の一実施の形態における包装用箱の構成及びこの包装用箱にＰＴＰ包装の医薬品をお知らせカードとともに包装する状態を示す斜視図
【図２】同包装用箱の組み立て前の紙基材を示す平面図（展開図）
【図３】同包装用箱に形成される突状片のつなぎ部分の構成の変更例を示す図
【図４】ＰＴＰ包装の医薬品をお知らせカードとともに従来の個装箱に包装する状態を示す斜視図
【発明を実施するための形態】
【００１０】
次に、この発明を実施するための形態について図を用いて説明する。図１に包装用箱を示している。なお、この実施の形態では、特に、ＰＴＰ包装の医薬品（この場合、錠剤やカプセルなどの医薬品が複数個ずつ１枚のＰＴＰシートに収納され、これが複数枚ずつ一まとめにされたもので、ここでは特にアルミ包材パックに封入されたもの）をお知らせカード（医薬品に関する情報が記録され、医薬品の交付とともに配布するために添付される複数枚綴りの書面）とともに包装するのに使用する包装用箱を例示している。
【００１１】
図１に示すように、包装用箱Ｂは、一端面に蓋１５−１８により開閉可能な開口１０１を有する箱１からなり、箱１の内面の一部に一体的に開口１０１の付近に開口部２０を有するポケット２を備え、箱１内にＰＴＰ包装の医薬品を収容し、ポケット２にお知らせカードを収納して、蓋１５−１８で封止するようになっている。そして、蓋１５−１８の一部を切り離し、箱１の開口１０１を開放すると、箱１から医薬品を取り出すと同時に、箱１内のポケット２からお知らせカードが取り出せるようになっている。
【００１２】
この包装用箱Ｂは、箱１の周囲が複数の面、この場合、４面で構成され、これらの４面のうちの一面の一端に折れ線Ｌ７（図２参照）を介して連続的に一方の外蓋１８を有し、当該一面と一方の外蓋１８との間にこの外蓋１８を切り離すための破断線（ミシン目）Ｃ１（図２参照）が形成され、ポケット２は当該一面の内面に形成される。
この場合、破断線Ｃ１は、外蓋１８が折れ線Ｌ７から当該一面の一端縁に溝形の切り欠きＵ１（図２参照）を形成して分離可能に、破断線Ｃ１の始端及び終端が折れ線Ｌ７の両端の一部に、その中間が当該一面の一端側に溝形に形成される。
また、この場合、ポケット２は箱１の一面の内面の略全体に亘って袋状に設けられ、開口部２０側の縁部に溝形に切り欠きＵ２が形成される。また、このポケット２の開口部２０とは反対側の端部側には、開口部２０からの奥行（深さ）方向の寸法を調整し、また、ポケット２内部に所定の隙間空間を確保するための突状片２４（図２参照）が切り起こしにより形成され、箱１の一面の内面に接着剤を介して接着固定される。
このようにしてお知らせカードを箱１に収納する際に、お知らせカードを箱１内のポケット２に容易に入れることができ、お知らせカードをポケット２に入れると、このお知らせカードの一端がポケット２の突状片２４に衝接して、お知らせカードの他端が箱１の開口１０１に近接するポケット２の開口部２０の切り欠きＵ２に位置決めされ、箱１を封止した後、箱１を開放する際に、外蓋１８を箱１から破断線Ｃ１により切り離すと、箱１の一面の一端縁に溝形の切り欠きＵ１が形成されて、そこにお知らせカードの他端が現れ、お知らせカードが添付されていることの注意を喚起し、お知らせカードを箱１の開口１０１で溝形の切り欠きＵ１とポケット２の開口部２０縁部の切り欠きＵ２により掴みやすく、開口１０１から取り出しやすくなっている。
【００１３】
この箱１はポケット２とともに、一枚のブランクシートから一体的に打ち抜かれて形成され、一端面に蓋（１５−１８）により開閉可能な開口１０１を有し、全体が略直方体形状に組み立て可能に形成される箱本体形状部（Ｐ１）と、箱本体形状部（Ｐ１）の一部の縁部から連続的に延び、箱本体形状部（Ｐ１）の組み立て状態で略直方体形状の一側面をなす一側面形状部（上面形状部Ｐ１２）の内面に開口１０１付近で開口される袋状に組み立て可能に形成されるポケット形状部（Ｐ２）とを具備する一枚の紙基材（Ｐ）からなり、この場合、箱本体形状部（Ｐ１）の一側面形状部（上面形状部Ｐ１２）の一端に折れ線（Ｌ７）を介して連続的に外蓋（１８）をなす外蓋形状部（Ｐ１８）が形成され、当該一側面形状部（上面形状部Ｐ１２）と外蓋形状部（Ｐ１８）との間に外蓋形状部（１８）を切り離すための破断線（Ｃ１）がミシン目により形成されていて、この紙基材（Ｐ）が折り曲げられ、所定の各接着位置が接着固定されて組み立てられる。（  ）内の符号は図２を参照。
【００１４】
図２にこの紙基材Ｐを示している。
図２に示すように、この紙基材Ｐの箱本体形状部Ｐ１は、全体が横長の略直方体形状に組み立て可能に、箱本体形状部Ｐ１の組み立て状態で後面、上面、前面、下面なす相互に折れ線Ｌ１−Ｌ３を介して連接して形成される４面形状部Ｐ１１−Ｐ１４と、後面形状部Ｐ１１及び前面形状部Ｐ１３の左右方向の両端にそれぞれ折れ線Ｌ４、Ｌ５を介して形成され、箱本体形状部Ｐ１の組み立て状態で左右方向一方のフラップ及び他方のフラップをなすフラップ形状部Ｐ１５、Ｐ１６と、下面形状部Ｐ１４の左右方向の両端にそれぞれ折れ線Ｌ６を介して形成され、箱本体形状部Ｐ１の組み立て状態で内蓋をなす内蓋形状部Ｐ１７と、上面形状部Ｐ１２の左右方向の両端にそれぞれ折れ線Ｌ７を介して形成され、箱本体形状部Ｐ１の組み立て状態で外蓋をなす外蓋形状部Ｐ１８とを有する。また、この箱本体形状部Ｐ１には、上面形状部Ｐ１２の左右方向の一端側に外蓋形状部Ｐ１８を切り離すための破断線Ｃ１、さらに、上面形状部Ｐ１２の左右方向の他端側に、この箱Ｂを廃棄するときに、箱Ｂが折り畳みやすくなるように、他端側の外蓋形状部Ｐ１８を切り離すための破断線Ｃ２が形成される。この場合、一端側の破断線Ｃ１は、既述のとおり、破断線Ｃ１の始端及び終端の各一部が折れ線Ｌ７の両端に、その中間が上面形状部Ｐ１２の一端側に溝形に、ここでは、略台形の溝形に形成される。他端側の破断線Ｃ２は、折れ線Ｌ７の両端に近接する上面形状部Ｐ１２の所定の位置から円弧状に形成される。
ポケット形状部Ｐ２は、箱本体形状部Ｐ１の下面形状部Ｐ１４の前面形状部Ｐ１３とは反対側の側縁部に折れ線Ｌ８を介して形成され、箱本体形状部Ｐ１の組み立て状態で後面形状部Ｐ１１の内面に固定される固定面をなす固定面形状部Ｐ２１、この固定面形状部Ｐ２１の下面形状部Ｐ１４とは反対側の側縁部に折れ線Ｌ９を介して形成され、箱本体形状部Ｐ１の組み立て状態で上面形状部Ｐ１２の内面に重合されて袋面をなす袋面形状部Ｐ２２、及び袋面形状部Ｐ２２の固定面形状部Ｐ２１とは反対側の側縁部に折れ線Ｌ１０を介して形成され、箱本体形状部Ｐ１の組み立て状態で前面形状部Ｐ１３の内面に接着固定される接着片をなす接着片形状部Ｐ２３とを有する。また、このポケット形状部Ｐ２には、袋面形状部Ｐ２２の開口部２０側の縁部に溝形に切り欠きＵ２が形成される。この場合、切り欠きＵ２は箱本体形状部Ｐ１の上面形状部Ｐ１２の溝形の破断線Ｃ１に略対応する位置で当該溝形の破断線Ｃ１の溝形形状よりも少し大きい略台形の溝形に形成される。さらに、この袋面形状部Ｐ２２には開口部２０とは反対側の端部側に、開口部２０からの奥行（深さ）方向の寸法を調整するため、また、箱本体形状部Ｐ１の上面形状部Ｐ１２の内面との間に所定の間隔を確保するため、突状片２４が切り起こしにより形成され、これが上面形状部Ｐ１２の内面に接着剤により接着固定されるようになっている。この場合、突状片２４は、袋面形状部Ｐ２２とのつなぎ部分２４−２を袋面形状部Ｐ２２の開口部２０とは反対側の端部側で幅方向略中央付近として、袋面形状部Ｐ２２において固定面形状部Ｐ２１側に少し偏った位置に略コ字形に切り込みＳ１が入れられて形成される。また、この場合、突状片２４のつなぎ部分２４−２には、略コ字形の切り込みＳ１の中央部分と平行に破線状の切り込みＳ２と、この切り込みＳ２の両端に略コ字形の切り込みＳ１の両側部分の各端部に向けて斜めの切り込みＳ３が入れられ、さらに、破線状の切り込みＳ２の内側に僅かに間隔を取ってこの切り込みＳ２と平行に浅い溝状の切り込み（半切り）Ｓ４を切られて、これら破線状及び斜めの切り込みＳ２，Ｓ３と浅い溝状の切り込みＳ４との間の部分により、突状片２４が袋面形状部Ｐ２２の面との間に段差（この紙基材Ｐの組み立て状態で袋面と上面との間の所定の間隔となる段差）を付けて上面形状部Ｐ１２に接着固定されるようになっている。
【００１５】
このような構成からなる紙基材Ｐは、箱本体形状部Ｐ１、ポケット形状部Ｐ２の各形状部が次のように折り曲げられ、所定の各接着箇所が接着されて、箱１とともに箱１の内部にポケット２が組み立てられる。この紙基材Ｐの組み立てについて図１、図２を用いて説明する。
図２において、まず、ポケット形状部Ｐ２の接着片形状部Ｐ２３が袋面形状部Ｐ２２に対して折れ線Ｌ１０を介して内側に向けて直角に折り曲げられ、接着片２３が形成される。次に、袋面形状部Ｐ２２が固定面形状部Ｐ２１に対して折れ線Ｌ９を介して内側に向けて直角に折り曲げられ、袋面２２が形成される。続いて、固定面形状部Ｐ２１が箱本体形状部Ｐ１の下面形状部Ｐ１４に対して折れ線Ｌ８を介して内側に向けて直角に折り曲げられ、固定面２１が形成される。次いで、下面形状部Ｐ１４が前面形状部Ｐ１３に対して折れ線Ｌ３を介して内側に向けて直角に折り曲げられ、下面１４が形成される。次いで、前面形状部Ｐ１３が上面形状部Ｐ１２に対して折れ線Ｌ２を介して内側に向けて直角に折り曲げられ、前面１３が形成される。次いで、上面形状部Ｐ１２が後面形状部Ｐ１１に対してお折れ線Ｌ１を介して内側に向けて直角に折り曲げられ、上面１２が形成される。次いで、後面形状部Ｐ１１が固定面２１の外側面に向けて直角に折り曲げられ、後面１１が形成される。
このようにして接触片２３の上に前面１３、袋面２２の上に上面１２、固定面２１の上に後面１１がそれぞれ重合され、接触片２３の外側面と前面１３の内側面、袋面２２の突状片２４の外側面と上面１２の内側面、固定面２１の外側面と後面１１の内側面がそれぞれ、接着剤を介して接着固定される。これにより箱１が断面略四角形の筒形に組み立てられ、この箱１の内部で上面１２の内側にポケット２が袋状に組み立てられ、箱１の左右の各フラップ形状部Ｐ１５、Ｐ１６、各内蓋形状部Ｐ１７、各外蓋形状部Ｐ１８が後面１１及び前面１３、下面１４、上面１２の各面の各端部の延長上に延ばされた状態となる。このような箱１の組み立ての過程において、箱１とともに組み立てられるポケット２にポケット２の開口部２０を通じてお知らせカードが差し込み収納される。この場合、お知らせカードをポケット２に入れると、このお知らせカードの一端がポケット２の突状片２４に衝接して、お知らせカードの他端が箱１の開口１０１に近接するポケット２の開口部２０の切り欠きＵ２に位置決めされることは既述のとおりである。そして、この組み立て途中の箱１はポケット２とともに箱１の相互に対向する２箇所の折れ線Ｌ１、Ｌ３を境に略扁平状に折り畳まれ、この状態で、ＰＴＰ包装の医薬品を包装する工場などに出荷される。
次いで、ＰＴＰ包装の医薬品を包装する工場では、この組み立て途中の箱１が次のようにして組み立てられ、ＰＴＰ包装の医薬品が収容された後、他の必要な箇所が接着固定される。なお、この箱１の組み立て及び医薬品の包装は、既存の自動カートナーを用いて行われる。この説明については図１、図２を参照する。
まず、箱１は、扁平状に折り畳まれた状態から、４側面を起こして、断面四角形の筒形に組み立てられる。次に、箱１の左右方向他方の開口１０２が閉じられる。この場合、右側の前後の各フラップ形状部Ｐ１５、Ｐ１６が折れ線Ｌ４、Ｌ５を介して開口１０２上に折り曲げられて前後の各フラップ１５、１６が形成され、その上に、内蓋形状部Ｐ１７が折れ線Ｌ６を介して折り曲げられて内蓋１７が形成される。そして、その上に、外蓋形状部Ｐ１８が折れ線Ｌ７を介して折り曲げられて外蓋１８が形成され、内蓋１７の外側面と外蓋１８の内側面が接着剤を介して接着固定される。これにより、右側の開口１０２が閉塞される。
続いて、この箱１の中に、ＰＴＰ包装の医薬品が箱１の左側の開口１０１を通じて収容され、医薬品の収容後、この開口１０１が蓋１５−１８により閉じられる。この場合、左側の前後の各フラップ形状部Ｐ１５、Ｐ１６が折れ線Ｌ４、Ｌ５を介して開口１０１上に折り曲げられて前後の各フラップ１５、１６が形成され、その上に、内蓋形状部Ｐ１７が折れ線Ｌ６を介して折り曲げられて内蓋１７が形成される。そして、その上に、外蓋形状部Ｐ１８が折れ線Ｌ７を介して折り曲げられて外蓋１８が形成され、内蓋１７の外側面と外蓋１８の内側面が接着剤を介して接着固定される。これにより、左側の開口１０１が閉塞される。
このようにしてこの包装用箱ＢにＰＴＰ包装の医薬品がお知らせカードとともに包装される。
【００１６】
なお、この包装用箱Ｂに包装された医薬品は調剤薬局などに供給されて、この医薬品を服用するユーザーに交付される。この包装用箱Ｂを開封して医薬品を取り出す際は、箱１の左側一方の外蓋１８を破断線Ｃ１に沿って切り離すことにより、箱１の開口１０１が開放され、箱１から医薬品を取り出すことができる、この場合、破断線Ｃ１は、外蓋１８が折れ線Ｌ７から上面１２の一端縁に溝形の切り欠きＵ１を形成して分離可能に、破断線Ｃ１の始端及び終端が折れ線Ｌ７の両端の一部に、その中間が上面１２の一端側に溝形に形成されているので、外蓋１８を箱１から破断線Ｃ１により切り離すと、箱１の上面１２の一端縁に溝形の切り欠きＵ１が形成されて、そこにお知らせカードの他端が現れ、お知らせカードが添付されていることの注意が喚起される。そして、この開口１０１の縁部に溝形の切り欠きＵ１が形成され、また、この内側がポケット２の開口部２０で溝形に切り欠きＵ２が形成されているので、箱１の開口１０１でポケット２内のお知らせカードが掴みやすく、箱１内のポケット２からお知らせカードを簡単に取り出すことができる。
【００１７】
以上説明したように、この包装用箱Ｂでは、箱１の上面１２の内側に一体的に開口１０１の付近に開口部２０を有するポケット２を備え、このポケット２に医薬品の交付とともに配布するお知らせカードを収納するようにしたので、この包装用箱Ｂに医薬品を包装する前に、予め、お知らせカードをポケット２に収納することにより、このお知らせカードを、通常の包装ライン上で専用の設備を利用することなしに、容易かつ確実に収納することができる。したがって、この包装用箱Ｂによれば、医薬品及びお知らせカードの包装に要するコストの低減を図ることができる。
また、この包装用箱Ｂによれば、次のような利点を併せて有する。
（１）既存の自動カートナーを使用することができる。
（２）小ロット製品、大ロット製品に関らず対応が可能である。
（３）既存の箱１の外寸を変更しないため、元の梱包寸法を変えずに対応が可能である。
（４）お知らせカードを箱１のポケット２に収納し封入するので、医薬品を包装した包装用箱Ｂの輸送時に、お知らせカードが損傷することがない。
（５）お知らせカードを箱１の外面に貼り付ける作業がない分だけ、手作業工程を低減し、低コストを実現することができる。
【００１８】
また、この包装用箱Ｂでは、ポケット２は箱１の上面１２の内面に袋状に設けられていて、このポケット２の開口部２０とは反対側の端部側には、開口部２０からの奥行（深さ）方向の寸法を調整し、また、ポケット２内部に所定の隙間空間を確保するための突状片２４が切り起こしにより形成され、箱１の上面１２の内面に接着剤を介して接着固定されるので、お知らせカードを箱１内のポケット２に入れやすく、また、お知らせカードをポケット２に入れたときに、このお知らせカードの一端がポケット２の突状片２４に衝接して、お知らせカードの他端を箱１の開口１０１に近接するポケット２の開口部２０の切り込みＵ２に位置決めすることができる。
さらに、この包装用箱Ｂでは、箱１の上面１２の一端に折れ線Ｌ７を介して連続的に外蓋１８を有し、上面１２と外蓋１８との間にこの外蓋１８を切り離すための破断線Ｃ１が形成され、この場合、破断線Ｃ１は、外蓋１８が折れ線Ｌ７から上面１２の一端縁に溝形の切り欠きＵ１を形成して分離可能に形成されており、ポケット２はこの上面１２の内面に袋状に設けられて、開口部２０側の縁部に溝形に切り欠きＵ２が形成されるので、箱１を封止した後、箱１を開放する際に、外蓋１８を箱１から破断線Ｃ１により切り離すと、箱１の上面１２の一端縁に溝形の切り欠きＵ１が形成されて、そこにお知らせカードの他端が現れるので、お知らせカードが添付されていることの注意を喚起することができ、このお知らせカードを、箱１の開口１０１で箱１の溝形の切り欠きＵ１とポケット２の溝形の切り欠きＵ２とにより掴みやすく、開口１０１から取り出しやすくすることができる。
【００１９】
なお、この実施の形態では、包装用箱は全体が横長の略直方体形状に組み立てられているが、全体が縦長の略直方体形状に組み立てられるものであってもよく、この場合、紙基材Ｐの箱形成形状部は、箱本体形状部の組み立て状態で左右方向一方の側面、正面、左右方向他方の側面、背面をなす相互に折れ線を介して連接して形成される４面形状部と、一方の側面形状部及び他方の側面形状部の上下方向の両端にそれぞれ折れ線を介して形成され、箱本体形状部の組み立て状態で上下方向一方のフラップ及び他方のフラップをなすフラップ形状部と、背面形状部の上下方向の両端にそれぞれ折れ線を介して形成され、箱本体形状部の組み立て状態で内蓋をなす内蓋形状部と、正面形状部の上下方向の両端にそれぞれ折れ線を介して形成され、箱本体形状部の組み立て状態で外蓋をなす外蓋形状部とを有し、ポケット形状部は、箱本体形状部の背面形状部の他方の側面形状部とは反対側の側縁部に折れ線を介して形成され、箱本体形状部の組み立て状態で一方の側面形状部の内面に固定される固定面をなす固定面形状部、固定面形状部の背面形状部とは反対側の側縁部に折れ線を介して形成され、箱本体形状部の組み立て状態で正面の内面に重合される袋面をなす袋面形状部、及び袋面形状部の固定面形状部とは反対側の側縁部に折れ線を介して形成され、箱本体形状部の組み立て状態で他方の側面形状部の内面に接着固定される接着片をなす接着片形状部とを有する。そして、箱本体形状部の正面形状部の上下方向の一端側に外蓋形状部を切り離すための破断線が形成される。このようにして縦長の略直方体形状に組み立てられるものであっても、上記実施の形態と同様の作用効果を得ることができる。
また、この実施の形態では、ポケット２の突状片２４のつなぎ部分２４−２に、略コ字形の切り込みＳ１の中央部分と平行に破線状の切り込みＳ２と、この切り込みＳ２の両端に略コ字形の切り込みＳ１の両側部分の各端部に向けて斜めの切り込みＳ３が入れられ、さらに、破線状の切り込みＳ２の内側に僅かに間隔を取ってこの切り込みＳ２と平行に浅い溝状の切り込み（半切り）Ｓ４が切られているが、このつなぎ部分２４−２の切り込みＳ１−Ｓ４は種々に変更可能で、例えば、図３（ａ）に示すように、略コ字形の切り込みＳ１の両側部分の各端部を少し直線的に延ばして切り込み、その切り込みの間に両端をつなぎ部分として残すように直線状の切り込みＳ５を形成してもよく、また、図３（ｂ）に示すように、略コ字形の切り込みＳ１の両側部分の各端部を少し内向きに斜めに延ばして切り込み、その切り込みの間に両端をつなぎ部分として残すように直線状の切り込みＳ６を形成してもよく、このようにしても上記実施の形態と概ね同様の作用効果を得ることができる。
【符号の説明】
【００２０】
Ｂ  包装用箱
１  箱
１０１  開口
１０２  開口
１１  後面
１２  上面
１３  前面
１４  下面
１５−１８  蓋
１５  フラップ
１６  フラップ
１７  内蓋
１８  外蓋
２  ポケット
２０  開口
２１  固定面
２２  袋面
２３  接着片
２４  突状片
２４−２  つなぎ部分
Ｐ  紙基材
Ｐ１  箱本体形状部
Ｐ１１  後面形状部
Ｐ１２  上面形状部
Ｐ１３  前面形状部
Ｐ１４  下面形状部
Ｐ１５  フラップ形状部
Ｐ１６  フラップ形状部
Ｐ１７  内蓋形状部
Ｐ１８  外蓋形状部
Ｌ１−Ｌ７  折れ線
Ｐ２  ポケット形状部
Ｐ２１  固定面形状部
Ｐ２２  袋面形状部
Ｐ２３  接着片形状部
Ｌ８−Ｌ１０  折れ線
Ｕ１  切り欠き
Ｕ２  切り欠き
Ｃ１  破断線
Ｃ２  破断線
Ｓ１−Ｓ４  切り込み
Ｓ５  切り込み
Ｓ６  切り込み
【図１】
2014005050.tif 000003
【図２】
2014005050.tif 000004
【図３】
2014005050.tif 000005
【図４】
2014005050.tif 000006